(57)【特許請求の範囲】
【請求項１】
ケース（２、１２）と、ベゼル（１４）と、無線放送信号の送受信回路（２２）およびその送受信回路（２２）に接続されたアンテナ（２０）を含むトランスポンダ（１６）とを備えた時計であって、
前記アンテナ（２０）及び前記送受信回路（２２）は共に前記ベゼル（１４）に収容され、そして
前記ベゼル（１４）は前記ケース（２、１２）に取り外し可能に取り付けられている、
ことを特徴とする時計。
【請求項２】
前記トランスポンダ（１６）は前記ベゼル（１４）内に完全に一体化されていることを特徴とする請求項１記載の時計。
【請求項３】
前記ベゼル（１４）に取り付けリセス（１８）を設けて、その内部に前記アンテナ（２０）及び前記送受信回路（２２）を取り付けていることを特徴とする請求項１または２記載の時計。
【請求項４】
前記取り付けリセス（１８）は、前記時計の外表面を形成する前記ベゼル（１４）の表面に設けられていることを特徴とする請求項３記載の時計。
【請求項５】
前記リセス（１８）はカバー（３０）で密閉されていることを特徴とする請求項３または４記載の時計。
【請求項６】
前記取り付けリセス（１８）は、２つの表面（３６、３８）を備えて、それに前記アンテナ（２０）及び前記送受信回路（２２）を取り付けていることを特徴とする請求項３から５のいずれか１項記載の時計。
【請求項７】
前記取り付けリセス（１８）は平坦な表面（４０）を備えており、前記アンテナ（２０）及び前記送受信回路（２２）を共通のベースプレート（３４）に取り付けて、その共通ベースプレート（３４）を前記平坦な表面（４０）上に配置していることを特徴とする請求項３から５までのいずれか１項記載の時計。
【請求項８】
前記ベゼルは型に材料を射出して形成され、材料を射出する前に前記トランスポンダを型に入れることによって、トランスポンダを前記ベゼル材内に埋め込むようにしたことを特徴とする請求項１または２記載の時計。
【発明の詳細な説明】
【０００１】
【発明の属する技術分野】
本発明は、無線放送信号用の送受信アンテナを備えた時計に関する。
【０００２】
【従来の技術】
この形式の時計は、多くの場合に腕時計の形で形成されており、様々な用途に使用されている。それらは、例えば対象を識別するシステムにおいて、遠隔地から装置と通信することを目的とする場合もある。そのようなシステムでは、各腕時計が、その腕時計に固有の識別コードを記憶したメモリ装置と、無線放送信号の送受信回路と、それに接続されたアンテナとを備えている。
【０００３】
この形式のシステムはさらに、質問信号を送信するように構成された中央トランシーバを備えている。この信号を検出すると、問い合わせられている腕時計が識別信号を送信する。この信号はそのメモリ装置に記憶されている識別コードを表している。このため、各識別信号に属する腕時計を識別することによって、中央トランシーバは腕時計の着用者のアイデンティティを照合することができる。
【０００４】
スイス特許出願第ＣＨ６８６，６９６号は、中間部材とベゼルの間の内部リセスにアンテナをはめ込んだ腕時計を開示している。このアンテナは、腕時計の文字盤の下側に配置された無線放送信号の送受信回路に電気接続されている。無線放送信号の送受信回路とアンテナへは、腕時計ケースの下部分内に収容されたバッテリから給電される。
【０００５】
この構造は、腕時計の寸法を考慮すると、最大可能寸法のアンテナをケース内に設置できるので、可能な最大有効断面を電磁界に与えることができる。さらに、アンテナをベゼル付近に収容することで、腕時計を無線放送信号源に接近させることによってアンテナと無線放送信号源との間の距離を最短にすることができる。
【０００６】
【発明が解決しようとする課題】
しかし、そのような構造には幾つかの問題がある。
中間部分及びベゼルの両方またはいずれか一方の内部リセス内に収容されたアンテナを形成するワイヤの端部を、一般的に時計ムーブメント用に確保されているケース内の空間に収容されている回路に接続しなければならない。この接続には複雑で高価な手段が必要である。アンテナ及び無線放送信号の送受信回路の両方またはいずれか一方を変更することが困難である。これにはケースを開いて、内部に収容されている部材を外す必要があるためである。
【０００７】
さらに、時計を組み立てるときにアンテナを無線放送信号の送受信回路に接続するので、その製造が複雑になり、この方法の接続例では電気接触が不良になる危険性がある。
このため、この腕時計は高価になって使用が限定され、回路は一般的に特定の用途専用となり、トランスポンダは時計の製造中に配置されて時計に永久的に取り付けられたままとなる。
【０００８】
従って本発明の目的は、上記従来の技術の問題を解決する無線放送信号用の送受信アンテナを備えた時計を提供することである。
さらに、本発明の別の目的は、製造が簡単であると共に信頼できる無線放送信号用の送受信アンテナを備えた時計を提供することである。
本発明の別の目的は、アンテナ及び無線放送信号の送受信回路の両方またはいずれか一方の変更または交換が容易である送受信アンテナを備えた時計を提供することである。
【０００９】
【課題を解決するための手段】
本発明は、ケースと、ベゼルと、トランスポンダとを備えた時計に関する。トランスポンダは無線放送信号の送受信回路とその送受信回路に接続されたアンテナとを含む。この時計は、アンテナと送受信回路が共にベゼルに収容されていることを特徴としている。
このため、トランスポンダは、時計のベゼルに組み付ける前に、確実に組み立てることができる。さらに、ベゼルを取り外すか、ベゼルを交換するだけで、時計に取り付けられたトランスポンダを変更または交換することができる。
本発明の他の特徴及び利点は、例として挙げただけである添付の図面を参照した以下の詳細な説明を読めば明らかになるであろう。
【００１０】
【発明の実施の形態】
図１及び図２を参照しながら、本実施形態による時計１を説明する。時計１は、従来通りに、中間部材２及びガラス蓋１２を含むケースを備えている。中間部材は、例えばプラスチック材から公知の射出成形技法で形成される。
時計１はさらに、中間部材２内に収容された時計ムーブメント４を備えており、このムーブメントに、それぞれ秒針、分針及び時針からなる表示手段６、８及び１０が機械的に連結されている。
時計１は、ガラス蓋１２で密閉されている。ガラス蓋は、従来の方法で、例えば接着または超音波溶接技法で中間部材２に固定的に取り付けられている。ベゼル１４がケースに、すなわちガラス蓋１２及び中間部材２の両方またはいずれか一方に取り付けられている。
【００１１】
腕時計１は、さらに、アンテナ２０及び無線放送信号の送受信回路２２を含むトランスポンダ１６を備えており、これらの部材自体は当該分野の専門家には公知である。本実施形態によれば、アンテナ２０及び上記回路２２は、ベゼル１４内に一体化されている。このため、腕時計の時計部分（中間部材、ガラス蓋、ムーブメント、文字盤、針等）と送受信部分（アンテナ、回路）は、腕時計を最終的に組み立てる前に、それぞれ完全に個別に設計、製造及び試験することができる。
【００１２】
トランスポンダ１６はさらに、回路２２への給電手段１７を備えている。給電手段１７は、バッテリ等のエネルギ源か、好ましくはアンテナ２０でピックアップする信号用の整流回路によって形成することができる。後者の場合、トランスポンダ１６をベゼル１４内に完全に一体化することが容易になる。
ベゼル１４は、好ましくは取り外し可能にケースに取り付けられる。このため、図２に示されている例では、ガラス蓋１２及びベゼル１４が、それぞれ突出部分２６と溝２８を備えており、それらが相補形であることによってベゼルがケースの周囲に保持される。ベゼル１４を弾性変形できる材料で製造することによって、ベゼル１４が取り外し可能になる、すなわち簡単な押し付けでケースに組み付けたり、それから取り外すことができる。
【００１３】
ベゼル１４が取り外し可能であることから、所望の国またはサービスに応じて、アンテナと送受信回路によって形成される通信装置（すなわち送受信回路）またはユニットの共振周波数を容易に選択及び変化させることができる。さらに、そのような構造によって、ケース及びベゼルを個別に販売することができる。このため、消費者は自分に合った腕時計を選択すると共に、必要なサービスに対応したアンテナ及び送受信回路を含むベゼルを自分の腕時計に組み合わせることができる。時計部材をアンテナ及び送受信回路から分離し、それを腕時計に取り外し可能に取り付けることによって、廉価なレシーバまたはトランスポンダを形成することができる。
【００１４】
一部の実施形態では、ベゼルを少なくとも部分的に外して、トランスポンダモジュールを取り外すことによって別のモジュールに交換することも考えることができ、この場合は取り外し式ベゼルを用いる必要がない。
図２では、ベゼル１４に取り付けリセス１８が設けられ、この中にアンテナ２０及び無線放送信号の送受信回路２２が収容されている。リセス１８は、ベゼル１４の環状形状に沿った環状形状を有している。
【００１５】
アンテナ２２は環状形状を有している。このアンテナは、腕時計１の文字盤２４にほぼ平行な平面上に配置された１巻きまたは複数巻きのコイルまたは巻線で形成することができる。しかし、本発明は、ベゼル内に一体化できるものであればどのような形状のアンテナも適用できる。
【００１６】
リセス１８は、ベゼル１４の外表面、すなわちユーザが着用中に腕時計を見た時に見える表面に形成されている。リセス１８を透明カバー３０で密閉して、アンテナ２０及び送受信回路２２がユーザに見えるようにしているが、決してこれに限定されることはない。カバー３０はリセス１８を密閉して、アンテナ２０を保護している。
【００１７】
そのような構造は文字盤２４の下側の空間をまったく使用しないので、それが腕時計１の他の構成部材を収容できる空間として残ることに注意されたい。
カバー３０が取り外し式でない場合、アンテナ２０及び送受信回路２２が適当に機能しないか、所望の用途に合わない場合、アンテナ２０及び送受信回路２２を収容しているベゼル１４を別のベゼルに容易に交換することができる。
リセス１８には少なくとも部分的に固定手段、例えば接着剤か、合成樹脂を充填して、ベゼル１４内でのアンテナ２０及び送受信回路２２の組み付け安定性を向上させることもできる。
【００１８】
図２を参照すれば、取り付けリセス１８が２つの表面３６および３８を備えており、それにそれぞれ回路２２及びアンテナ２０が取り付けられていることがわかる。このため、アンテナ２０及び回路２２の寸法、配置及び取り付け向きをベゼル１４に対して最適化することができる。
図３は、上記時計の変更実施形態を示している。
この変更例によれば、取り付けリセス１８はほぼ平坦な１つの表面４０を備えて、それにアンテナ２０及び送受信回路２２が取り付けられている。
好ましくは、リセス１８にはめ込む前に、アンテナ２０及び回路２２を共通のベースプレート３４に取り付けて、トランスポンダをベゼル１４内に組み付けやすくする。
【００１９】
最後になるが、本発明による時計に対して、本発明の範囲から逸脱しない幾つかの変更を加えることができることに注意されたい。特に、ベゼルを形成している材料にトランスポンダを埋め込むことができ、これは、初めにトランスポンダを射出成形型に入れて、その型にベゼルを構成させる材料を射出成形することによって行われる。
【図面の簡単な説明】
【図１】  本発明による時計の実施形態の上面図である。
【図２】  図１の時計の断面図である。
【図３】  図１の時計の変更実施形態の断面図である。
【符号の説明】
１４  ベゼル、  １６  トランスポンダ、  ２０  アンテナ、
２２  無線放送信号の送受信回路
【図１】
0004294110.tif 000002
【図２】
0004294110.tif 000003
【図３】
0004294110.tif 000004